(57)【要約】【課題】カメラ用雲台を三脚へ取り付ける為の、カメラ用雲台のカメラ用ねじ穴の軸心を垂直に維持することで、水平方向への回転や仰角や俯角の変更によりカメラアングルを変更しても、カメラの水平や意図的な左右への傾きや仰角や俯角を維持したままで水平方向へ回転出来る様にする事を課題とする。【解決手段】現状ではカメラ用三脚の本体にエレベータを介して雲台を取り付けている。そこで、雲台上に水平化装置を用いる事により、カメラ用三脚の本体に少々の傾きがあっても、つまりエレベータの長軸方向が垂直方向と一致していなくとも雲台に取り付けた水平化装置でカメラのアングルを変えてもカメラの水平や意図的な左右への傾きや仰角や俯角を維持したままで水平方向へ回転出来る構造とした。【選択図】                図１
2013003477.tif 000002
【特許請求の範囲】
【請求項１】
一般的な雲台分離型三脚の三脚の本体部分に取り付けたエレベータと雲台の間に取り付けてカメラ用三脚の雲台の基部を水平にする雲台用水平化装置。
【請求項２】
請求項１の水平化装置であって、三脚の本体部分に取り付けたエレベータのカメラねじに取り付け固定する基部と、基部の上に基部に対して三脚の本体部分に取り付けたエレベータのカメラねじの中心軸の周りに回転する旋回部、及び旋回部の上に設置されカメラねじの中心軸に直交する軸の周りに回転させる事で傾けることが出来る水平台で構成され、この水平台上には三脚の本体部分に取り付けたエレベータのカメラねじの中心軸と中心軸を同じくする事が出来て、かつエレベータのカメラねじの中心軸を含む垂直面内に軸心を含むカメラねじを有するもので有り、次のように操作するものである。
即ち、カメラ用三脚の本体部分に少々の傾きがある状態から、水平化装置の基部と旋回部のスラスト方向の中心軸でありカメラねじの中心軸でもある主回転軸周りの回転により、旋回部に取り付けた水準器の泡で示されるカメラ用三脚の本体部分に取り付けたエレベータのカメラ台の最大傾斜角である主傾斜軸と、旋回部を回転させて旋回部に取り付けた水準器の中央部の近傍に示された目印を合わせる事で、水平化装置の最大傾斜角となる主傾斜軸と、主回転軸とが１つの垂直面内に含まれる様になる事で、この垂直面内に含まれる主回転軸に直交する副回転軸が水平面内に置かれ、この副回転軸周りの回転により水平台上面の雲台据え付け面の上に水平化装置の最大傾斜角となる主傾斜軸と直交する副傾斜軸の線上に設けた目印に、この目印を中心とする位置に設けた水準器の泡を合わせる事で水平化装置の水平台を水平化する方法を用いる雲台用水平化装置。
【請求項３】
請求項１の水平化装置であって、請求項２の構成から旋回部を除き、ウォームホイールが無く上部がボールジョイントのソケット或いは球頭部となる水平化装置の基部と、副回転軸が無い代わりに下部にボールジョイントの球頭部或いはソケットが有って、ボールジョイントで固定及び固定解除可能な結合を行う基部と水平台からなり、雲台据え付け面上に丸形水準器を設置して、又は主傾斜軸と副傾斜軸の代わりとなる直交方向に二つの棒形水準器を直角方向の向きに組む事で、或いはＴ形水準器を用いる事で水平台の水平化を助けた後にボールジョイントを固定して用いる雲台用水平化装置。
【発明の詳細な説明】
【技術分野】
【０００１】
本発明は、カメラアングルを調整し易くするために、カメラ用三脚に用いる雲台を水平にするための装置に関するものである。
【背景技術】
【０００２】
従来、カメラ用三脚に装備された雲台のカメラ台を水平にするにはカメラ台等に取り付けた水準器を頼りにカメラ用三脚の脚を伸縮させておおよそ水平にした後、まだ傾斜している雲台の基部に対して、例えば図３に示したベルボン社エル・カルマーニュ５３５の雲台部概略図の雲台に備えた十字型に組んだ回転軸の周りにパンハンドルやチルトハンドルでカメラ台を前後左右方向に傾けることで水準器を頼りに水平に設定している。
而して、この様にしてカメラを水平にしても、カメラアングルを調整するためにカメラの向きを左右方向に向けようとすると水平を維持できず、カメラ台の水平を維持するのは甚だ困難な作業であり、時間を要しているのが現状である。
【先行技術文献】
【特許文献】
【０００３】
【特許文献１】特表２００５−５２１８４３号公報
【特許文献２】実用新案登録３１５２４９５号
【発明の概要】
【発明が解決しようとする課題】
【０００４】
現状ではカメラ用三脚に装備された雲台上のカメラ台の水平は、三脚の脚の伸縮と、実例で言うならば図３のベルボン社エル・カルマーニュ５３５の雲台概略図の様にパンハンドルやチルトハンドルで角度目盛りとカメラ台上の水準器を頼りにして調整できる様にしている。しかし、これだけではカメラアングル変更時に雲台上のカメラ台の前後左右方向の水平を調節するには極めて不便である。
【０００５】
また、図２に見るように一般的にカメラ用三脚の本体にエレベータを介して雲台を取り付けているが、特許文献１に見るように、エレベータ部分の垂直軸を三脚に取り付ける部分にボールジョイントを取り付け三脚の各脚の長さを伸縮することでは不十分な雲台の水平化を、このボールジョイント部分によって、水準器の助けによりエレベータを垂直にする方法が考案されている。しかし、ボールジョイント式雲台の上のカメラを水平にするのと同じ程度には手間取るものでもある。更に三脚の主要な構造を換えなければならず、既存の三脚を使用している者にとっては三脚そのものを新たに購入しなければならない。
【０００６】
更に、特許文献２に見るように三脚の本体部分と雲台の接続部分にボールジョイントを用いる自由雲台はカメラを向ける方向は自由であるが、水平方向への回転や上下方向への回転などの直線的な移動は難しい。
【０００７】
従って、カメラ用雲台を三脚へ取り付ける為の、カメラ用雲台のカメラ用ねじ穴の軸心を垂直に維持することで、水平方向への回転や仰角や俯角の変更によりカメラアングルを変更しても、カメラの水平や意図的な左右への傾きや仰角や俯角を維持したままで水平方向へ回転出来る様にする事を課題とする。
【課題を解決するための手段】
【０００８】
以上のことから、経済性と操作性を考えて、三脚の本体部分が少々傾いていても雲台の基部１１ｂを水平にする為に、一般的な雲台分離型三脚の三脚の本体部分１０ｂに取り付けたエレベータ１０ａと雲台１１ａの間に水平化装置１２ａを取り付けるものとする。
【０００９】
この水平化装置１２ａは、カメラ用三脚のエレベータ１０ａ上のカメラ台１１ｊに固定する水平化装置の基部１２ｂとこの基部の上に設ける旋回部１２ｈ及び水平台１２ｊで構成される。
【００１０】
この構成で、カメラ用三脚の本体部分１０ｂに少々の傾きがある状態から、カメラ用三脚のエレベータ１０ａ上のカメラ台１１ｊにカメラねじ１１ｄで固定する水平化装置の基部１２ｂとこの基部の上に設ける旋回部１２ｈのスラスト方向の中心軸でありカメラ用三脚のエレベータ１０ａ上のカメラ台１１ｊのカメラねじ１１ｄの中心軸でもある主回転軸１２ｉ−１周りの回転により、雲台据え付け面１２ｌ上の環形或いは円弧形の水準器１４ｐの助けを借りて水平化装置１２ａの主傾斜軸１３ｉ−４を示す目印１６ｐを環形或いは円弧形の水準器１４ｐの泡で示されるカメラ用三脚のエレベータ１０ａ上のカメラ台の主傾斜軸１３ｉ−４に合わせた後、副回転軸１２ｉ−２周りの回転により副傾斜軸１３ｉ−５の延長線を棒形水準器１５ｐの中央部分近傍に記した目印１６ｐに棒形水準器１５ｐの泡を合わせることで水平化装置１２ａの水平台１２ｊの水平化を行う構造とする。
【００１１】
或いはまた、この水平化装置１２ａは図７や図８に示すように旋回部１２ｈを用いずに水平化装置の基部１２ｂの上部と水平台１２ｊの下部を直接接続する為のボールジョイント構造を用いる方法でも良い。この場合は水平台１２ｊ上に、水平がやや不正確になるが、丸形水準器を用いて水平化するか或いは主傾斜軸１３ｉ−４と副傾斜軸１３ｉ−５となる直交方向に二つの棒形水準器を組むかＴ形水準器を用いる等で水平台１２ｊを水平化する構造とする。
【００１２】
尚、図面での説明上、使用水準器を環形或いは円弧形の水準器１４ｐや棒形水準器１５ｐ又は丸形水準器としたがそれらの形状は必ずしも棒形や環形或いは円弧形又は丸形で無くとも良く、単独又は組み合わせで水平面の水平を表せるものであれば良い。
【００１３】
各軸の関係に於いて主回転軸１２ｉ−１とは、この水平化装置の基部１２ｂのカメラねじ用ねじ穴１１ｅの中心軸であり、この水平化装置の旋回部１２ｈの回転軸である。
【００１４】
また、主傾斜軸１３ｉ−４とは或る傾斜した平面の主回転軸１２ｉ−１と交わる最大傾斜軸を指し、その平面上で主傾斜軸１３ｉ−４に直交しかつ主回転軸１２ｉ−１と交わる軸を副傾斜軸１３ｉ−５とする。
【００１５】
更に、副回転軸１２ｉ−２は副傾斜軸１３ｉ−５と平行かつ主回転軸１２ｉ−１に直交し、旋回部１２ｈと水平台１２ｊを接続し固定或いは固定解除する為の水平台締め付けねじの中心軸１２ｉ−３となる様に設定する。
【００１６】
尚、水平化装置１２ａの雲台据え付け面１２ｌ上での主傾斜軸１３ｉ−４は、環形或いは円弧形の水準器１４ｐの中央部分近傍に記した目印１６ｐと主回転軸１２ｉ−１を含む垂直面が作る、水平化装置１２ａの雲台据え付け面１２ｌ上の直線とする。
【発明の効果】
【００１７】
本発明によれば、三脚を新たに買い換える必要が無く、使用中の一般的な雲台分離型三脚を使用できることで経済的であり、水平方向への回転や仰角や俯角の変更によりカメラアングルを変更しても、カメラの水平や意図的な左右への傾きや仰角や俯角を維持したままで水平方向へ回転でき、写真撮影に有用である。
【図面の簡単な説明】
【００１８】
【図１】水平化装置の立体図
【図２】ベルボン社エル・カルマーニュ５３５の三脚部概略図
【図３】ベルボン社エル・カルマーニュ５３５の雲台部概略図
【図４】水平化装置の正面図
【図５】水平化装置の平面図（ただしウォームを表示していない）
【図６】水平化装置の操作説明図
【図７】ボールジョイント使用水平化装置の正面図
【図８】ボールジョイント使用水平化装置の平面図
【発明を実施するための形態】
【００１９】
一般的な雲台分離型三脚の三脚の本体部分１０ｂに取り付けたエレベータ１０ａと雲台１１ａの間に取り付ける、基部と、雲台の基部１１ｂを水平にする水平台とを有する事でカメラ用三脚の雲台の基部１１ｂを水平にする水平化装置１２ａである。
【００２０】
より具体的には、カメラ用三脚の本体部分１０ｂに少々の傾きがある状態から、水平化装置１２ａの基部と旋回部のスラスト方向の中心軸である主回転軸１２ｉ−１周りの回転により、棒形又は環形或いは円弧形の水準器１４ｐの助けを借りて、カメラ用三脚の本体部分１０ｂに取り付けたエレベータ１０ａ上のカメラ台１１ｊの最大傾斜角である主傾斜軸１３ｉ−４と水平化装置１２ａの最大傾斜角とすべき主傾斜軸１３ｉ−４を示す棒形又は環形或いは円弧形の水準器１４ｐの中央部分近傍の目印１６ｐとを合わせる事で、水平化装置１２ａの副回転軸１２ｉ−２を水平面内に置き、副回転軸１２ｉ−２周りの回転により棒形水準器１５ｐの助けを借りて水平化装置１２ａの水平台１２ｊを水平化する方法を用いる雲台用水平化装置１２ａである。
【００２１】
或いは、ボールジョイント式雲台の上のカメラを水平にするのと同じ程度には手間取るものでもあるが、上部がボールジョイントのソケット或いは球頭部となる水平化装置の基部と、副回転軸が無い代わりに下部にボールジョイントの球頭部或いはソケットが有って、ボールジョイントで固定及び固定解除可能な結合を行う基部と水平台からなる装置で、水平台上１２ｊにやや不正確になるが円形の水準器を頼りに水平化するか、或いは主傾斜軸１３ｉ−４と副傾斜軸１３ｉ−５となる直交方向に二つの棒形水準器を組む等で水平台１２ｊを水平化する頼りとする方法を用いる雲台用水平化装置１２ａである。
【実施例１】
【００２２】
先ず、図２に見るように、カメラ用三脚の本体部分１０ｂに取り付けたエレベータ１０ａ上のカメラ台１１ｊのカメラねじ１１ｄを水平化装置１２ａのカメラねじ用ねじ穴１１ｅにしっかりと填めこみ水平化装置の基部１２ｂを固定する。その為に水平化装置の基部１２ｂには滑り止めのための突起１２ｆを複数設けてある。
【００２３】
この水平化装置の基部１２ｂの上部にはウォームホイール１７ｓの中心軸を、水平化装置１２ａのカメラねじ用ねじ穴１１ｅの中心軸と軸心を同じくする様に設け、このウォームホイール１７ｓに対して水平化装置の基部１２ｂの上に被せるようにして、回転時の抵抗を低減させるためのスラストベアリング１２ｇを介して設けた旋回部１２ｈのウォーム１７ｒを噛み合わせることで、水平化装置の基部１２ｂに対して旋回部１２ｈをウォーム１７ｒの端に付けたウォーム回転用つまみ１７ｔを回して旋回させる構造である。
【００２４】
水平化装置の基部１２ｂにはウォームホイール１７ｓを直接組み込むか、図４の様にねじで固定しても良い。
【００２５】
そして、水平化装置の基部１２ｂと水平化装置の旋回部１２ｈとの間の抵抗を減らす為に水平化装置の基部１２ｂと水平化装置の基部を旋回部に取り付ける為の押さえ板２１ｙの間にスラストベアリング１２ｇを挟み、水平化装置の基部を旋回部に取り付ける為の押さえ板２１ｙは水平化装置の基部１２ｂに設けた水平化装置の基部を旋回部に取り付ける為のねじを回す為のドライバ用穴２１ｅからドライバで水平化装置の基部を旋回部に取り付ける為のねじ２１ｋにより水平化装置１２ａの旋回部１２ｈに固定される。
【００２６】
この様にウォームギアを用いることには、水平化装置の基部１２ｂに対して不用意に旋回部１２ｈが回転して位置ずれするのを防ぐ目的も有する。
【００２７】
即ち、先ず上記構造により、ウォーム回転用つまみ１７ｔを回して旋回部１２ｈを旋回させ、旋回部１２ｈに設けた環形或いは円弧形の水準器１４ｐの泡を水平化装置１２ａの主傾斜軸１３ｉ−４を示す目印１６ｐに合わせることで、カメラ用三脚のエレベータ１０ａ上のカメラ台の主傾斜軸１３ｉ−４を含む垂直面内に水平化装置１２ａの主傾斜軸１３ｉ−４を含む様にする。
【００２８】
ここで言う水平化装置１２ａの主傾斜軸１３ｉ−４を示す目印１６ｐとは、水平化装置１２ａの副回転軸１２ｉ−２に直交し、水平化装置１２ａの主回転軸１２ｉ−１を含む面が旋回部１２ｈに設けた環形或いは円弧形の水準器１４ｐと交差する位置を旋回部１２ｈに設けた環形或いは円弧形の水準器１４ｐ近傍に記したものである。
【００２９】
次に、水平化装置１２ａの水平台締め付けねじの中心軸、即ち副回転軸１２ｉ−３を中心に水平化装置１２ａを回転させることで、水平化装置１２ａの雲台据え付け面１２ｌ上にある副傾斜軸１３ｉ−５をカメラ用三脚のエレベータ１０ａ上のカメラ台の主傾斜軸１３ｉ−４を含む垂直面に直角で、かつ水平面内に位置する様にする。
【００３０】
その為に、図１や図４及び図５に見るように、水平化装置１２ａの旋回部１２ｈ上部には副回転軸１２ｉ−２を谷底付近に持つ谷形の溝を有し、水平化装置１２ａの水平台１２ｊの下部には水平化装置１２ａの旋回部１２ｈ上部の副回転軸１２ｉ−２と軸心を同じくする副回転軸１２ｉ−２を持つ山形の突起を持つ。
【００３１】
この山形の突起は副回転軸１２ｉ−２を中心に回転出来るように、水平化装置１２ａの旋回部１２ｈ上部の副回転軸１２ｉ−２を谷底付近に持つ谷形の溝よりも鋭角な山形とする。
【００３２】
以上により水平化装置１２ａ上の雲台据え付け面１２ｌは三脚が傾いているのとは関わりなく水平になり、上に乗る雲台１１ａの垂直軸を鉛直方向に合わせる事が出来る。
【００３３】
ここで言うカメラ用三脚のエレベータ１０ａ上のカメラ台の主傾斜軸１３ｉ−４とは、三脚設置時にカメラ用三脚の本体部分１０ｂが少し傾いている場合におけるカメラ用三脚のエレベータ１０ａ上のカメラ台の上、つまり通常は雲台据え付け面１２ｌとなる面上の最も高い位置となる点とカメラねじ１１ｄの中心軸及び最も低い位置となる点を結んだ直線を言う。
【００３４】
即ち、水平化装置１２ａの旋回部１２ｈの上に、水平化装置１２ａの主傾斜軸１３ｉ−４を含む垂直面に直交する様に設けられかつ副回転軸１２ｉ−２と軸心を同じくする水平台締め付けねじ１２ｋを中心に回転するように水平台１２ｊを設ける。
【００３５】
つまりこの水平台１２ｊは、水平化装置１２ａの主傾斜軸１３ｉ−４とカメラ用エレベータ１０ａ上のカメラ台の主傾斜軸１３ｉ−４を含む水平化装置の主垂直面１８ｕに直交する水平面１９ｗ上に、水平化装置１２ａの主傾斜軸１３ｉ−４及び主傾斜軸１３ｉ−４に直交する副傾斜軸１３ｉ−５が共に含まれる様に水平化装置１２ａの水平台１２ｊを副回転軸１２ｉ−２の周りに回転させて傾け、水平台１２ｊ上の棒形水準器１５ｐの泡を棒形水準器１５ｐの中央部分近傍の目印１６ｐに合わせる事で水平化装置１２ａの水平台１２ｊの水平化を行うものである。
【００３６】
更に、副回転軸１２ｉ−２に設けられた水平台締め付けねじ１２ｋを締めることで水平化装置１２ａの水平台１２ｊは水平位置に固定され、水平化装置１２ａの上部に設けられたカメラねじ１１ｄに雲台１１ａを取り付ける事で雲台１１ａの水平化垂直化が行われ、カメラのアングルが変化してもカメラは水平を維持できる。
【００３７】
尚、雲台１１ａを水平化装置１２ａに装着する為に、水平化装置１２ａの水平台１２ｊにはカメラねじ１１ｄが設けられるが、図１や図４に見るようにカメラねじ１１ｄを雲台にねじ込みやすくする為に水平台１２ｊの上部内側に、カメラねじ１１ｄを固定したカメラねじ回転用ディスク１１ｔを水平化装置１２ａの水平台１２ｊに対して回転できる様に、設置してカメラねじ１１ｄを回転させることで雲台１１ａを水平化装置１２ａに装着する。
【００３８】
この時、カメラねじ回転用ディスク１１ｔを十分に回転させることで水平化装置１２ａの水平台１２ｊと雲台１１ａとの間を密着させ滑りを無くすように水平化装置１２ａの水平台１２ｊの上面に滑り止め加工を行う。
【００３９】
敢えて記すが、カメラ用三脚のエレベータ１０ａのスラスト方向の中心軸と水平化装置１２ａの水平台１２ｊ上のカメラねじ１１ｄの中心軸は一直線上に位置させる事が出来る配置である。
【実施例２】
【００４０】
図７、図８に示すように実施例１の場合の水平化装置１２ａの基部の上に旋回部１２ｈを設けずに、ボールジョイント構造を基部との接続部として有する水平台１２ｊを用いる方法である。
【００４１】
この場合は、水平台上１２ｊに丸形水準器を設置して、これにより水平化するか、或いは主傾斜軸１３ｉ−４と副傾斜軸１３ｉ−５の代わりとなる直交方向に二つの棒形水準器を直角方向の向きに組む事で、或いはＴ形水準器を用いる事で水平台１２ｊを水平化してボールジョイントの球頭部２２ｈをボールジョイントのソケット２２ｊに設けたボールジョイント締め付けねじ２２ｋで締め付ける事で固定するものである。
【００４２】
またボールジョイントの球頭部２２ｈとボールジョイントのソケット２２ｊの位置関係は図７、図８に示すのとは逆に水平化装置１２ａの基部にボールジョイントの球頭部２２ｈを、水平台１２ｊにボールジョイントのソケット２２ｊを設定しても良い。
しかし実施例１に比べると構造は簡単であるが正確さに欠けやすいものでもある。
【産業上の利用可能性】
【００４３】
従来の雲台分離型カメラ用三脚装置では三脚の各脚の伸縮に頼ってカメラの水平垂直を正確に求めることは困難であり、雲台の機能に頼ってカメラ台の水平垂直を補正した場合はカメラアングルの変更の度にカメラの水平垂直が変動するために雲台の調整によりカメラの水平垂直の調整を要求され手間がかかります。しかし上に説明した様に本発明であるカメラ用三脚に用いる雲台を水平にする装置を用いるとこの手間が不要となることで素早いカメラアングルの変更が可能となり写真撮影に有用である。
【符号の説明】
【００４４】
１０ｂ  三脚の本体部分
１０ｃ  脚
１１ａ  雲台
１１ｂ  雲台の基部
１１ｊ  カメラ台
１１ｄ  カメラねじ
１１ｅ  カメラねじ用ねじ穴
１１ｔ  カメラねじ回転用ディスク
１１ｍ  パンハンドル
１１ｎ  チルトハンドル
１２ａ  水平化装置
１２ｂ  水平化装置の基部
１２ｆ  滑り止めのための突起
１２ｇ  スラストベアリング
１２ｈ  旋回部
１２ｉ−１  主回転軸
１２ｉ−２  副回転軸
１２ｊ  水平台
１２ｋ  水平台締め付けねじ
１２ｉ−３  水平台締め付けねじの中心軸（即ち副回転軸）
１２ｌ  雲台据え付け面
１３ｉ−４  主傾斜軸
１３ｉ−５  副傾斜軸
１３ｍ  主傾斜軸最上点
１３ｎ  主傾斜軸最下点
１４ｐ  棒形又は環形或いは円弧形の水準器
１５ｐ  棒形水準器
１６ｐ  目印
１７ｒ  ウォーム
１７ｓ  ウォームホイール
１７ｔ  ウォーム回転用つまみ
１８ｕ  水平化装置の主垂直面
１９ｗ  水平化装置の主垂直面に直交する水平面
２０ｋ  水平化装置の基部にウォームホイールを取り付ける為のねじ
２１ｋ  水平化装置の基部を旋回部に取り付ける為のねじ
２１ｙ  水平化装置の基部を旋回部に取り付ける為の押さえ板
２１ｅ  水平化装置の基部を旋回部に取り付ける為のねじを回す為のドライバ用穴
２２ｈ  ボールジョイントの球頭部
２２ｊ  ボールジョイントのソケット
２２ｋ  ボールジョイント締め付けねじ
【図１】
2013003477.tif 000003
【図２】
2013003477.tif 000004
【図３】
2013003477.tif 000005
【図４】
2013003477.tif 000006
【図５】
2013003477.tif 000007
【図６】
2013003477.tif 000008
【図７】
2013003477.tif 000009
【図８】
2013003477.tif 000010
【手続補正書】
【提出日】平成23年9月27日(2011.9.27)
【手続補正１】
【補正対象書類名】明細書
【補正対象項目名】全文
【補正方法】変更
【補正の内容】
【発明の詳細な説明】
【技術分野】
【０００１】
本発明は、カメラアングルを調整し易くするために、カメラ用三脚に用いる雲台を水平にするための装置に関するものである。
【背景技術】
【０００２】
従来、カメラ用三脚に装備された雲台のカメラ台を水平にするにはカメラ台等に取り付けた水準器を頼りにカメラ用三脚の脚を伸縮させておおよそ水平にした後、まだ傾斜している雲台の基部に対して、例えば図３に示したベルボン社エル・カルマーニュ５３５の雲台部概略図の雲台に備えた十字型に組んだ回転軸の周りにパンハンドルやチルトハンドルでカメラ台を前後左右方向に傾けることで水準器を頼りに水平に設定している。
而して、この様にしてカメラを水平にしても、カメラアングルを調整するためにカメラの向きを左右方向に向けようとすると水平を維持できず、カメラ台の水平を維持するのは甚だ困難な作業であり、時間を要しているのが現状である。
【先行技術文献】
【特許文献】
【０００３】
【特許文献１】特表２００５−５２１８４３号公報
【特許文献２】実用新案登録３１５２４９５号
【発明の概要】
【発明が解決しようとする課題】
【０００４】
現状ではカメラ用三脚に装備された雲台上のカメラ台の水平は、三脚の脚の伸縮と、実例で言うならば図３のベルボン社エル・カルマーニュ５３５の雲台概略図の様にパンハンドルやチルトハンドルで角度目盛りとカメラ台上の水準器を頼りにして調整できる様にしている。しかし、これだけではカメラアングル変更時に雲台上のカメラ台の前後左右方向の水平を調節するには極めて不便である。
【０００５】
また、図２に見るように一般的にカメラ用三脚の本体にエレベータを介して雲台を取り付けているが、特許文献１に見るように、エレベータ部分の垂直軸を三脚に取り付ける部分にボールジョイントを取り付け三脚の各脚の長さを伸縮することでは不十分な雲台の水平化を、このボールジョイント部分によって、水準器の助けによりエレベータを垂直にする方法が考案されている。しかし、ボールジョイント式雲台の上のカメラを水平にするのと同じ程度には手間取るものでもある。更に三脚の主要な構造を換えなければならず、既存の三脚を使用している者にとっては三脚そのものを新たに購入しなければならない。
【０００６】
更に、特許文献２に見るように三脚の本体部分と雲台の接続部分にボールジョイントを用いる自由雲台はカメラを向ける方向は自由であるが、水平方向への回転や上下方向への回転などの直線的な移動は難しい。
【０００７】
従って、カメラ用雲台を三脚へ取り付ける為の、カメラ用雲台のカメラ用ねじ穴の軸心を垂直に維持することで、水平方向への回転や仰角や俯角の変更によりカメラアングルを変更しても、カメラの水平や意図的な左右への傾きや仰角や俯角を維持したままで水平方向へ回転出来る様にする事を課題とする。
【課題を解決するための手段】
【０００８】
以上のことから、経済性と操作性を考えて、三脚本体とエレベータの角度を調整するのでも無く、雲台の各部分をコンピューター等で随時調整していくのでも無く、三脚の本体部分が少々傾いていても雲台の基部１１ｂを水平にする為に、一般的な雲台分離型三脚の三脚の本体部分１０ｂに取り付けたエレベータ１０ａと雲台１１ａの間に水平化装置１２ａを取り付けるものとする。
【０００９】
この水平化装置１２ａは、カメラ用三脚のエレベータ１０ａ上のカメラ台１１ｊに固定する水平化装置の基部１２ｂとこの基部の上に設ける旋回部１２ｈ及び旋回部１２ｈの上部に設ける水平台１２ｊで構成される。
【００１０】
この構成で、カメラ用三脚の本体部分１０ｂに少々の傾きがある状態から、カメラ用三脚のエレベータ１０ａ上のカメラ台１１ｊにカメラねじ１１ｄで固定する水平化装置の基部１２ｂとこの基部の上に設ける旋回部１２ｈのスラスト方向の中心軸でありカメラ用三脚のエレベータ１０ａ上のカメラ台１１ｊのカメラねじ１１ｄの中心軸でもある主回転軸１２ｉ−１周りの回転により、雲台据え付け面１２ｌ上の環形或いは円弧形の水準器１４ｐの助けを借りて水平化装置１２ａの主傾斜軸１３ｉ−４を示す目印１６ｐを環形或いは円弧形の水準器１４ｐの泡で示されるカメラ用三脚のエレベータ１０ａ上のカメラ台の主傾斜軸１３ｉ−４に合わせた後、副回転軸１２ｉ−２周りの回転により副傾斜軸１３ｉ−５の延長線を棒形水準器１５ｐの中央部分近傍に記した目印１６ｐに棒形水準器１５ｐの泡を合わせることで水平化装置１２ａの水平台１２ｊの水平化を行う構造とする。
【００１１】
尚、図面での説明上、使用水準器を環形或いは円弧形の水準器１４ｐや棒形水準器１５ｐ又は丸形水準器としたがそれらの形状は必ずしも棒形や環形或いは円弧形又は丸形で無くとも良く、単独又は組み合わせで水平面の水平を表せるものであれば良い。
【００１２】
各軸の関係に於いて主回転軸１２ｉ−１とは、この水平化装置の基部１２ｂのカメラねじ用ねじ穴１１ｅの中心軸であり、この水平化装置の旋回部１２ｈの回転軸である。
【００１３】
また、主傾斜軸１３ｉ−４とは図１及び図２に見るように水平台１２ｊ上面の主回転軸１２ｉ−１と交わり水平面からの角度が最大となる最大傾斜軸を指し、その平面上で主傾斜軸１３ｉ−４に直交しかつ主回転軸１２ｉ−１と交わる軸を副傾斜軸１３ｉ−５とする。
【００１４】
更に、副回転軸１２ｉ−２は副傾斜軸１３ｉ−５と平行かつ主回転軸１２ｉ−１に直交し、旋回部１２ｈと水平台１２ｊを接続し固定或いは固定解除する為の水平台締め付けねじの中心軸１２ｉ−３となる様に設定する。
【００１５】
尚、水平化装置１２ａの雲台据え付け面１２ｌ上での主傾斜軸１３ｉ−４は、環形或いは円弧形の水準器１４ｐの中央部分近傍に記した目印１６ｐと主回転軸１２ｉ−１を含む垂直面が作る、水平化装置１２ａの雲台据え付け面１２ｌ上の直線とする。
【発明の効果】
【００１６】
本発明によれば、三脚を三脚本体に対してエレベータの傾きを換えられる形式の三脚に、或いは雲台の各部をコンピュータ制御で随時調整する形式の雲台に、新たに買い換える必要が無く、使用中の一般的な雲台分離型三脚を使用できることで経済的であり、三脚が少々傾いた状態で、水平方向への回転や仰角や俯角の変更によりカメラアングルを変更しても、カメラの水平や意図的な左右への傾きや仰角や俯角を維持したままで水平方向へ回転でき、写真撮影に有用である。
【図面の簡単な説明】
【００１７】
【図１】水平化装置の立体図
【図２】ベルボン社エル・カルマーニュ５３５の三脚部概略図
【図３】ベルボン社エル・カルマーニュ５３５の雲台部概略図
【図４】水平化装置の正面図
【図５】水平化装置の平面図（ただしウォームを表示していない）
【図６】水平化装置の操作説明図
【発明を実施するための形態】
【００１８】
一般的な雲台分離型三脚の三脚の本体部分１０ｂに取り付けたエレベータ１０ａと雲台１１ａの間に取り付ける、基部と、雲台の基部１１ｂを水平にする水平台とを有する事でカメラ用三脚の雲台の基部１１ｂを水平にする水平化装置１２ａである。
【００１９】
より具体的には、カメラ用三脚の本体部分１０ｂに少々の傾きがある状態から、水平化装置１２ａの基部と旋回部のスラスト方向の中心軸である主回転軸１２ｉ−１周りの回転により、棒形又は環形或いは円弧形の水準器１４ｐの助けを借りて、カメラ用三脚の本体部分１０ｂに取り付けたエレベータ１０ａ上のカメラ台１１ｊの最大傾斜角である主傾斜軸１３ｉ−４と水平化装置１２ａの最大傾斜角とすべき主傾斜軸１３ｉ−４を示す棒形又は環形或いは円弧形の水準器１４ｐの中央部分近傍の目印１６ｐとを合わせる事で、水平化装置１２ａの副回転軸１２ｉ−２を水平面内に置き、副回転軸１２ｉ−２周りの回転により棒形水準器１５ｐの助けを借りて水平化装置１２ａの水平台１２ｊを水平化する方法を用いる雲台用水平化装置１２ａである。
【００２０】
或いは、ボールジョイント式雲台の上のカメラを水平にするのと同じ程度には手間取るものでもあるが、上部がボールジョイントのソケット或いは球頭部となる水平化装置の基部と、副回転軸が無い代わりに下部にボールジョイントの球頭部或いはソケットが有って、ボールジョイントで固定及び固定解除可能な結合を行う基部と水平台からなる装置で、水平台上１２ｊにやや不正確になるが円形の水準器を頼りに水平化するか、或いは主傾斜軸１３ｉ−４と副傾斜軸１３ｉ−５となる直交方向に二つの棒形水準器を組む等で水平台１２ｊを水平化する頼りとする方法を用いる雲台用水平化装置１２ａである。
【実施例１】
【００２１】
先ず、図２に見るように、カメラ用三脚の本体部分１０ｂに取り付けたエレベータ１０ａ上のカメラ台１１ｊのカメラねじ１１ｄを水平化装置１２ａのカメラねじ用ねじ穴１１ｅにしっかりと填めこみ水平化装置の基部１２ｂを固定する。その為に水平化装置の基部１２ｂには滑り止めのための突起１２ｆを複数設けてある。
【００２２】
この水平化装置の基部１２ｂの上部にはウォームホイール１７ｓの中心軸を、水平化装置１２ａのカメラねじ用ねじ穴１１ｅの中心軸と軸心を同じくする様に設け、このウォームホイール１７ｓに対して水平化装置の基部１２ｂの上に被せるようにして、回転時の抵抗を低減させるためのスラストベアリング１２ｇを介して設けた旋回部１２ｈのウォーム１７ｒを噛み合わせることで、水平化装置の基部１２ｂに対して旋回部１２ｈをウォーム１７ｒの端に付けたウォーム回転用つまみ１７ｔを回して旋回させる構造である。
【００２３】
水平化装置の基部１２ｂにはウォームホイール１７ｓを直接組み込むか、図４の様にねじで固定しても良い。
【００２４】
そして、水平化装置の基部１２ｂと水平化装置の旋回部１２ｈとの間の抵抗を減らす為に水平化装置の基部１２ｂと水平化装置の基部を旋回部に取り付ける為の押さえ板２１ｙの間にスラストベアリング１２ｇを挟み、水平化装置の基部を旋回部に取り付ける為の押さえ板２１ｙは水平化装置の基部１２ｂに設けた水平化装置の基部を旋回部に取り付ける為のねじを回す為のドライバ用穴２１ｅからドライバで水平化装置の基部を旋回部に取り付ける為のねじ２１ｋにより水平化装置１２ａの旋回部１２ｈに固定される。
【００２５】
この様にウォームギアを用いることには、水平化装置の基部１２ｂに対して不用意に旋回部１２ｈが回転して位置ずれするのを防ぐ目的も有する。
【００２６】
即ち、先ず上記構造により、ウォーム回転用つまみ１７ｔを回して旋回部１２ｈを旋回させ、旋回部１２ｈに設けた環形或いは円弧形の水準器１４ｐの泡を水平化装置１２ａの主傾斜軸１３ｉ−４を示す目印１６ｐに合わせることで、カメラ用三脚のエレベータ１０ａ上のカメラ台の主傾斜軸１３ｉ−４を含む垂直面内に水平化装置１２ａの主傾斜軸１３ｉ−４を含む様にする。
【００２７】
ここで言う水平化装置１２ａの主傾斜軸１３ｉ−４を示す目印１６ｐとは、水平化装置１２ａの副回転軸１２ｉ−２に直交し、水平化装置１２ａの主回転軸１２ｉ−１を含む面が旋回部１２ｈに設けた環形或いは円弧形の水準器１４ｐと交差する位置を旋回部１２ｈに設けた環形或いは円弧形の水準器１４ｐ近傍に記したものである。
【００２８】
次に、水平化装置１２ａの水平台締め付けねじの中心軸、即ち副回転軸１２ｉ−３を中心に水平化装置１２ａを回転させることで、水平化装置１２ａの雲台据え付け面１２ｌ上にある副傾斜軸１３ｉ−５をカメラ用三脚のエレベータ１０ａ上のカメラ台の主傾斜軸１３ｉ−４を含む垂直面に直角で、かつ水平面内に位置する様にする。
【００２９】
その為に、図１や図４及び図５に見るように、水平化装置１２ａの旋回部１２ｈ上部には副回転軸１２ｉ−２を谷底付近に持つ谷形の溝を有し、水平化装置１２ａの水平台１２ｊの下部には水平化装置１２ａの旋回部１２ｈ上部の副回転軸１２ｉ−２と軸心を同じくする副回転軸１２ｉ−２を持つ山形の突起を持つ。
【００３０】
この山形の突起は副回転軸１２ｉ−２を中心に回転出来るように、水平化装置１２ａの旋回部１２ｈ上部の副回転軸１２ｉ−２を谷底付近に持つ谷形の溝よりも鋭角な山形とする。
【００３１】
以上により水平化装置１２ａ上の雲台据え付け面１２ｌは三脚が傾いているのとは関わりなく水平になり、上に乗る雲台１１ａの垂直軸を鉛直方向に合わせる事が出来る。
【００３２】
ここで言うカメラ用三脚のエレベータ１０ａ上のカメラ台の主傾斜軸１３ｉ−４とは、三脚設置時にカメラ用三脚の本体部分１０ｂが少し傾いている場合におけるカメラ用三脚のエレベータ１０ａ上のカメラ台の上、つまり通常は雲台据え付け面１２ｌとなる面上の最も高い位置となる点とカメラねじ１１ｄの中心軸及び最も低い位置となる点を結んだ直線を言う。
【００３３】
即ち、水平化装置１２ａの旋回部１２ｈの上に、水平化装置１２ａの主傾斜軸１３ｉ−４を含む垂直面に直交する様に設けられかつ副回転軸１２ｉ−２と軸心を同じくする水平台締め付けねじ１２ｋを中心に回転するように水平台１２ｊを設ける。
【００３４】
つまりこの水平台１２ｊは、水平化装置１２ａの主傾斜軸１３ｉ−４とカメラ用エレベータ１０ａ上のカメラ台の主傾斜軸１３ｉ−４を含む水平化装置の主垂直面１８ｕに直交する水平面１９ｗ上に、水平化装置１２ａの主傾斜軸１３ｉ−４及び主傾斜軸１３ｉ−４に直交する副傾斜軸１３ｉ−５が共に含まれる様に水平化装置１２ａの水平台１２ｊを副回転軸１２ｉ−２の周りに回転させて傾け、水平台１２ｊ上の棒形水準器１５ｐの泡を棒形水準器１５ｐの中央部分近傍の目印１６ｐに合わせる事で水平化装置１２ａの水平台１２ｊの水平化を行うものである。
【００３５】
更に、副回転軸１２ｉ−２に設けられた水平台締め付けねじ１２ｋを締めることで水平化装置１２ａの水平台１２ｊは水平位置に固定され、水平化装置１２ａの上部に設けられたカメラねじ１１ｄに雲台１１ａを取り付ける事で雲台１１ａの水平化垂直化が行われ、カメラのアングルが変化してもカメラは水平を維持できる。
【００３６】
尚、雲台１１ａを水平化装置１２ａに装着する為に、水平化装置１２ａの水平台１２ｊにはカメラねじ１１ｄが設けられるが、図１や図４に見るようにカメラねじ１１ｄを雲台にねじ込みやすくする為に水平台１２ｊの上部内側に、カメラねじ１１ｄを固定したカメラねじ回転用ディスク１１ｔを水平化装置１２ａの水平台１２ｊに対して回転できる様に、設置してカメラねじ１１ｄを回転させることで雲台１１ａを水平化装置１２ａに装着する。
【００３７】
この時、カメラねじ回転用ディスク１１ｔを十分に回転させることで水平化装置１２ａの水平台１２ｊと雲台１１ａとの間を密着させ滑りを無くすように水平化装置１２ａの水平台１２ｊの上面に滑り止め加工を行う。
【００３８】
敢えて記すが、カメラ用三脚のエレベータ１０ａのスラスト方向の中心軸と水平化装置１２ａの水平台１２ｊ上のカメラねじ１１ｄの中心軸は一直線上に位置させる事が出来る配置である。
【産業上の利用可能性】
【００３９】
従来の雲台分離型カメラ用三脚装置では三脚の各脚の伸縮に頼ってカメラの水平垂直を正確に求めることは困難であり、雲台の機能に頼ってカメラ台の水平垂直を補正した場合はカメラアングルの変更の度にカメラの水平垂直が変動するために雲台の調整によりカメラの水平垂直の調整を要求され手間がかかります。しかし上に説明した様に本発明であるカメラ用三脚に用いる雲台を水平にする装置を用いるとこの手間が不要となることで素早いカメラアングルの変更が可能となり写真撮影に有用である。
【符号の説明】
【００４０】
１０ｂ  三脚の本体部分
１０ｃ  脚
１１ａ  雲台
１１ｂ  雲台の基部
１１ｊ  カメラ台
１１ｄ  カメラねじ
１１ｅ  カメラねじ用ねじ穴
１１ｔ  カメラねじ回転用ディスク
１１ｍ  パンハンドル
１１ｎ  チルトハンドル
１２ａ  水平化装置
１２ｂ  水平化装置の基部
１２ｆ  滑り止めのための突起
１２ｇ  スラストベアリング
１２ｈ  旋回部
１２ｉ−１  主回転軸
１２ｉ−２  副回転軸
１２ｊ  水平台
１２ｋ  水平台締め付けねじ
１２ｉ−３  水平台締め付けねじの中心軸（即ち副回転軸）
１２ｌ  雲台据え付け面
１３ｉ−４  主傾斜軸
１３ｉ−５  副傾斜軸
１３ｍ  主傾斜軸最上点
１３ｎ  主傾斜軸最下点
１４ｐ  棒形又は環形或いは円弧形の水準器
１５ｐ  棒形水準器
１６ｐ  目印
１７ｒ  ウォーム
１７ｓ  ウォームホイール
１７ｔ  ウォーム回転用つまみ
１８ｕ  水平化装置の主垂直面
１９ｗ  水平化装置の主垂直面に直交する水平面
２０ｋ  水平化装置の基部にウォームホイールを取り付ける為のねじ
２１ｋ  水平化装置の基部を旋回部に取り付ける為のねじ
２１ｙ  水平化装置の基部を旋回部に取り付ける為の押さえ板
２１ｅ  水平化装置の基部を旋回部に取り付ける為のねじを回す為のドライバ用穴
【手続補正２】
【補正対象書類名】特許請求の範囲
【補正対象項目名】全文
【補正方法】変更
【補正の内容】
【特許請求の範囲】
【請求項１】
三脚の本体部分に取り付けたエレベータのカメラねじ若しくは三脚の本体部分に直に取り付けられたカメラねじに取り付け固定する基部と、基部の上に基部に対して三脚の本体部分に取り付けたエレベータのカメラねじの中心軸と軸心を同じくする回転軸の周りに回転する旋回部、及び旋回部の上に設置されカメラねじの中心軸に直交する軸の周りに回転させる事で傾けることが出来る水平台で構成され、三脚と雲台の間に設置して、三脚の伸縮による微調整や三脚の本体部分に取り付けたボールジョイントによるエレベータの傾斜調整に依らずに雲台を水平化させる装置である。
この雲台用水平化装置は次のように操作するものである。
即ち、カメラ用三脚の本体部分に少々の傾きがある状態から、水平化装置の基部と旋回部のスラスト方向の中心軸でありカメラねじの中心軸でもある主回転軸周りの回転により、旋回部の外周部に取り付けた水準器の泡で示されるカメラ用三脚の本体部分に取り付けたエレベータのカメラ台の最大傾斜角である主傾斜軸と、旋回部を回転させて旋回部に取り付けた水準器の中央部の近傍に示された目印を合わせる事で、水平化装置の最大傾斜角となる主傾斜軸と、主回転軸とが１つの垂直面内に含まれる様になる事で、この垂直面内に含まれる主回転軸に直交する副回転軸が水平面内に置かれ、この副回転軸周りの回転により水平台上面の雲台据え付け面の上に水平化装置の最大傾斜角となる主傾斜軸と直交する副傾斜軸の線上に設けた目印に、この目印を中心とする位置に設けた水準器の泡を合わせる事で水平化装置の水平台を水平化する方法を用いる雲台用水平化装置。
【手続補正３】
【補正対象書類名】図面
【補正対象項目名】図７
【補正方法】削除
【補正の内容】
【手続補正４】
【補正対象書類名】図面
【補正対象項目名】図８
【補正方法】削除
【補正の内容】
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
三脚の本体部分に取り付けたエレベータのカメラねじ若しくは三脚の本体部分に直に取り付けられたカメラねじに取り付け固定する基部と、基部の上に基部に対して三脚の本体部分に取り付けたエレベータのカメラねじの中心軸と軸心を同じくする回転軸の周りに回転する旋回部、及び旋回部の上に設置されカメラねじの中心軸に直交する軸の周りに回転させる事で傾けることが出来る水平台で構成され、三脚と雲台の間に設置して、三脚の伸縮による微調整や三脚の本体部分に取り付けたボールジョイントによるエレベータの傾斜調整に依らずに雲台を水平化させる装置であって、カメラ用三脚の本体部分に少々の傾きがある状態から、水平化装置の基部と旋回部のスラスト方向の中心軸でありカメラねじの中心軸でもある主回転軸周りの回転により、旋回部の外周部に取り付けた水準器の泡で示されるカメラ用三脚の本体部分に取り付けたエレベータのカメラ台の最大傾斜角である主傾斜軸と、旋回部を回転させて旋回部に取り付けた水準器の中央部の近傍に示された目印を合わせる事で、水平化装置の最大傾斜角となる主傾斜軸と、主回転軸とが１つの垂直面内に含まれる様になる事で、この垂直面内に含まれる主回転軸に直交する副回転軸が水平面内に置かれ、この副回転軸周りの回転により水平台上面の雲台据え付け面の上に水平化装置の最大傾斜角となる主傾斜軸と直交する副傾斜軸の線上に設けた目印に、この目印を中心とする位置に設けた水準器の泡を合わせる事で水平化装置の水平台を水平化する方法を用いる雲台用水平化装置。